(57)【特許請求の範囲】
【請求項１】
調和空気を一定の流れ方向へ向けて整流して供給するよう内側に風路が形成された整流機構を、調和空気が吹出口に至る吹出風路内にあって、最外の左右風向調整ベーンと吹出風路の最外郭となる壁面との間に備えたことを特徴とする空気調和機の整流機構。
【請求項２】
調和空気を一定の流れ方向へ向けて整流して供給するよう内側に風路が形成された整流機構を、調和空気が吹出口に至る吹出風路内にあって、吹出風路背面壁に備えたことを特徴とする空気調和機の整流機構。
【請求項３】
調和空気を一定の流れ方向へ向けて整流して供給するよう内側に前記調和空気が吹出口に至る吹出風路内の前記調和空気の流れ方向に貫通した風路が形成された整流機構を、前記吹出風路内にあって、吹出ノズルの中央に備えたことを特徴とする空気調和機の整流機構。
【請求項４】
前記整流機構に風量調整部材を設けたことを特徴とする請求項１乃至請求項３のいずれかに記載の空気調和機の整流機構。
【請求項５】
前記整流機構を吹出風の主流に対して平行に位置させたことを特徴とする請求項１乃至請求項３のいずれかに記載の空気調和機の整流機構。
【請求項６】
前記整流機構を前記左右風向調整ベーンの取り付け構造体であるガイドベーンベースに設けたことを特徴とする請求項１に記載の空気調和機の整流機構。
【請求項７】
前記整流機構を吹出風を生成する送風機のユニットボックスに設けたことを特徴とする請求項２に記載の空気調和機の整流機構。
【請求項８】
前記整流機構を前記吹出ノズルの中央支持部に設けたことを特徴とする請求項３に記載の空気調和機の整流機構。
【発明の詳細な説明】
【０００１】
【発明の属する技術分野】
本発明は、空気調和機の吹出風路において整流作用を用いた空気調和機の吹出口への結露防止構造に関するものである。
【０００２】
【従来の技術】
図９に示すように一般に空気調和機の吹出風は、吹出口から吹き出されるに際し、調和空気が吹出口に至る吹出風路内で上下風向調整ベーンや左右風向調整ベーンの影響により圧損が生じる。また、調和空気の吹出風を作り出す役割を持つクロスフローファンの回転数が減少すると吹出風は、気流の乱れや風量低下が生じる。これによりその先に位置する上下風向調整ベーンに沿って吹出風が流れず、隔離してしまい結露を生じてしまう。従来は、こういった現象を減少・防止する為に吹出口構造に対して、図１０の断面図に示すジャンプ台１や図１１断面図に示すジャマ板２を取りつけ対処していた。
【０００３】
【発明が解決しようとする課題】
従来の空気調和機の吹出口に生じる結露現象への対応としては、吹出口付近にジャンプ台１又はジャマ板２を取り付けていた。このうちジャンプ台１は、吹出風路背壁を形成するユニットボックス３のケーシングに対して流れる吹出風の主流進行方向を変える事で上下風向調整ベーン４に吹出風を這わせ、吹出風で冷やされた上下風向調整ベーン４に対し外気の接触を減少させ結露を防止する事や、吹出風を作るクロスフローファン２２の回転数が減少する事で風量低下が生じ、吹出口１９近辺に乱流を生じて結露を生じる事をジャンプ台１で吹出風の主流進行方向を一定方向に向けさせ乱流を抑制する事を目的とした技術である。
【０００４】
しかし、この場合、ジャンプ台１は、吹出風に直接接しているので冷気で冷やされ、外気が接触するジャンプ台端面５に対して結露を生じる。従って、この端面に対し植毛テープなど保水性のある部材を取り付ける必要が生じる。
【０００５】
他方、ジャマ板２は、吹出口１９の吹き出し面積を減少させる事で、部分的に風量を増加させ上下風向調整ベーン４の結露が生じている部分に対して、より吹出風を流し這わせるもので、吹出風の剥離を減少させるジャンプ台１と同様、結露を減少させる事を目的とした技術である。
しかし、この場合、図１１のように吹出風１８を増加する代わりに吹出風１７を減少させてしまう事から吹出口上方より外気が吹出口構造に流れ込み、吹出風に直接接しているジャマ板２は冷気によって冷やされているので、ジャマ板端面６上に対して結露を生じてしまう。この場合もジャンプ台１と同様植毛テープなど保水性のある部材取り付ける必要性が生じる。
【０００６】
このように従来技術では結果として、空気調和機の吹出口に対する結露現象を減少・防止する事はできるが、そのために別の部分に対して結露を生じさせてしまい植毛テープのような保水性のある部材を取り付ける必要や、従来技術を新部品として取り付ける必要があり、部品点数の増加といった問題が発生していた。本発明は、かかる従来技術の問題点に鑑みてなされたもので、簡単な構造で整流が行なえる空気調和機の整流機構を得ることを目的としている。
【０００７】
【課題を解決するための手段】
この発明に係る空気調和機の整流機構は、調和空気を一定の流れ方向へ向けて整流して供給するよう内側に風路が形成された整流機構を、調和空気が吹出口に至る吹出風路内にあって、最外の左右風向調整ベーンと吹出風路の最外郭となる壁面との間に備えたものである。
【０００８】
また、この発明に係る空気調和機の整流機構は、調和空気を一定の流れ方向へ向けて整流して供給するよう内側に風路が形成された整流機構を、調和空気が吹出口に至る吹出風路内にあって、吹出風路背面壁に備えたものである。
【０００９】
また、この発明に係る空気調和機の整流機構は、調和空気を一定の流れ方向へ向けて整流して供給するよう内側に調和空気が吹出口に至る吹出風路内の調和空気の流れ方向に貫通した風路が形成された整流機構を、吹出風路内にあって、吹出ノズルの中央に備えたものである。
【００１０】
また、前記整流機構に風量調整部材を設けたものである。
【００１１】
また、前記整流機構を吹出風の主流に対して平行に位置させたものである。
【００１２】
また、前記整流機構を左右風向調整ベーンの取り付け構造体であるガイドベーンベースに設けたものである。
【００１３】
また、前記整流機構を吹出風を生成する送風機のユニットボックスに設けたものである。
【００１４】
また、前記整流機構を吹出ノズルの中央支持部に設けたものである。
【００１６】
【発明の実施の形態】
以下に添付の図を参照してこの発明に係わる空気調和機の整流機構の実施の形態を詳細に説明する。なお、以下に説明するこの発明の実施の形態において上述の従来例と同一構成の部分は、上述の従来例に付した符号と同一の符号を付してその説明を省略する。
【００１７】
実施の形態１．
図１は、この発明による空気調和機の吹出口に位置する上下風向調整ベーン露付き防止機構を示す断面図、図２は図１の拡大正面図、図３は図１の拡大斜視図である。また図４は、図３の機構に対して風量調整部材を取り付けた一例である。図において、２３は室内から吸い込まれる室内空気と図示しない冷凍サイクルによる冷媒との間で熱交換を行ない、冷房又は暖房を行なう熱交換器、１９は熱交換器２３で空気調和された調和空気の室内への吹出口で、空気調和機本体（室内ユニット）のユニットボックス３に取り付けられたノズル上枠構成部材８と、ユニットボックス３の下側壁部分２０とにより画定されている。２２は室内から熱交換器２３を経て吹出口へ至る空気流を生成する送風機で、ここではクロスフローファンが用いられる。
【００１８】
７はノズル上枠構成部材８に取付部９によって取り付けられた合成樹脂製のガイドベーンベース、１０はガイドベーンベース７の左右端に設けられ吹出風の圧損を最小限にするために吹出風の主流に対して平行な位置になるように一体成形された整流ボックスである。ユニットボックス３によって形成されるクロスフローファン２２から吹出口１９に至る風路は熱交換器２３によって熱交換された調和空気が通過する吹出風路を構成し、整流ボックス１０は整流機構に相当する。
【００１９】
ガイドベーンベース７には左右風向ベーン２１が所定間隔に取り付けられ、連結部材２４によってそれぞれが連結されるとともに図示しないモータ等によって左右方向にスイング駆動される。整流ボックス１０は最外郭の左右風向ベーン２１と吹出風路との間の風路壁近傍に設けられており、その箇所は左右風向ベーン２１の向きによっては調和空気の流量が減少するような箇所である。
【００２０】
ガイドベーンベース７には、風量調整のために網状の風量調整部材を取り付けるための取付部１１が一体成形されている。図４は風量調整部材を取付けた状態を示す斜視図で、図において２８は所定の通過抵抗を発生する網状の風量調整部材で、吹出口１９に対し上流側、下流側何れに取り付けてもよく、同様の効果が得られるが、ここでは下流側に取り付けている。風量調整部材２８はその網の目の細かさを変える等により通過抵抗を変えることが可能で、必要に応じて適当な通過抵抗の網を選択し取り付ければ良い。
【００２１】
次に動作について説明する。例えば左右風向ベーン２１が左を向いた場合、吹出風路の右側は調和空気の流れが減少し、吹出口１９から室内空気が流入するため結露が発生しやすくなるが、本実施の形態の構成によれば吹出風路の右側に設けられた整流ボックス１０により整流ボックス１０内を左右風向ベーン２１に影響されない一定の風量の調和空気が流れ、この流れが吹出風路の壁面に沿って流れるよう確保されるため、吹出風路における吹出口１９側からの室内空気の流入やそれによる乱流の発生を防止するので結露が発生しない。
【００２２】
尚、本実施の形態では整流ボックス１０がガイドベーンベース７と一体に樹脂成形されているため、吹出風を整流する際の整流機構に関する部品点数を削減できる。また、整流ボックス１０は吹出風の中に位置し、外気に接触しないので結露箇所にならない。したがって、従来技術で生じた植毛などの特別な結露防止構造が不要で部品点数の増加を防げる。この結果、整流ボックス１０は、従来技術で必要とした植毛テープのような保水性を持った部材を抹消できるといった部品点数の削減を可能とし、リサイクル等の解体処理時に植毛テープと整流機構との分別を行なうような作業の手間を省く事が可能になる。
【００２３】
実施の形態２．
図５はこの発明による空気調和機の吹出口に位置する上下風向調整ベーンの結露防止構造を示しす断面図、図６は図５の斜視図である。尚、図５に於いて、図１、２、３に対応する部分は図１、２、３に示した符号と同一の符号を付けてその説明を省略する。図において、１２は調和空気の吹出風路背面壁を構成するユニットボックス３に一体成形された中空構造の整流機構であるジャンプ台ボックス、４は図示しないモータによって駆動され上下方向に可動する上下風向調整ベーンである。
【００２４】
この中空構造をしたジャンプ台ボックス１２は、吹出風路下流で吹出口１９付近に位置する上下風向調整ベーン４に沿って吹出風が流れる位置で、上下風向調整ベーン４の位置によっては調和空気の流量が減少するような箇所に存在しており、ユニットボックス３の強度に耐えうる範囲内で中空構造を成形している。
【００２５】
また、この中空構造をしたジャンプ台ボックス１２には、実施の形態１と同様に中空構造内を通過する吹出風の風量を調整するための網状の風量調整部材２６を取り付けるための取付部１３が一体成形されている。この風量調整に用いる網状の風量調整部材２６は吹出口に対し上流・下流部にどちらに取り付けても同様の効果が得られるが本実施の形態では上流側に取り付けられる。
【００２６】
次に動作について説明する。例えば上下風向調整ベーン４が上を向いた場合、吹出風路の下側は調和空気の流れが減少し、吹出口１９から室内空気が流入するため結露が発生しやすくなるが、本実施の形態の構成によれば吹出風路の下側に設けられたジャンプ台ボックス１２によりジャンプ台ボックス１２の中空構造内を上下風向調整ベーン４の向きに影響されない一定の風量の調和空気が流れ、この流れが吹出風路の背壁面に沿って流れるよう確保されるため、吹出風路における吹出口１９側からの室内空気の流入やそれによる乱流の発生を防止するので結露が発生しない。
【００２７】
このように中空構造をしたジャンプ台ボックス１２は、従来技術で生じていた結露箇所において中空になっていることから、外気に触れることがなく、さらに風路上の面積が小さく押さえられているので、ジャンプ台ボックス１２自体が新たな結露箇所にならない。したがって、従来技術で生じた植毛等の部品点数の増加を防げる。
【００２８】
また、ジャンプ台ボックス１２は、従来技術で必要とした植毛テープのような保水性を持った部材を抹消できるといった部品点数の削減を可能とし、リサイクル等の解体処理時に植毛テープと整流機構との分別のための作業の手間を省く事が可能である。
【００２９】
実施の形態３．
図７はこの発明による空気調和機の吹出口に位置する上下風向調整ベーン結露防止構造を示ず断面図、図８は図７の概念図である。尚、図７、８に於いて、図１、２、３に対応する部分は図１、２、３に示した符号と同一の符号を付けてその説明を省略する。図において、１４はノズル上枠構成部材８に存在するノズル中央指示部、１５はノズル中央指示部１４に一体成形された中央整流ボックスで、吹出風路内の調和空気の流れ方向に貫通した中空構造の整流機構となっている。
【００３０】
中央整流ボックス１５は、吹出風の圧損量を最小限にするために吹出風の主流に対して平行な位置にある。また、中央整流ボックス１５は、左右風向ベーンが異なる方向を向く事で生じる乱流の発生箇所に位置している。
【００３１】
次に動作について説明する。例えば左右風向ベーン２１がノズル中央指示部１４を境に左側が左方向に、右側が右方向に向いた場合、ノズル中央指示部１４付近は調和空気の流れが減少し、吹出口１９から室内空気が流入するため結露が発生しやすくなるが、本実施の形態の構成によればノズル中央指示部１４に設けられた中央整流ボックス１５により中央整流ボックス１５の中空構造内を左右風向ベーン２１の向きに影響されない一定の風量の調和空気が流れるため、吹出風路における吹出口１９側からの室内空気の流入やそれによる乱流の発生を防止するので結露が発生しない。
【００３２】
さらに、中央整流ボックス１５は、吹出風の中に位置し、外気に接触しないので、整流させる為に生じる結露箇所にならず従来技術で生じた部品点数の増加を防げる。
また、この中央整流ボックス１５は、実施の形態１と同様に中空構造内を通過する吹出風を調整するための網状の部材を取り付けるための取付部１６が一体成形されている。この風量調整に用いる網状の風量調整部材２７は吹出口に対し上流・下流部に取り付けても同様の効果が得られるが、本実施の形態では下流側に取り付けられる。
【００３３】
中央整流ボックス１５は、ノズル上枠構成部材８と一体成形されているため吹出口中央付近の吹出風を整流するにために部品点数を増やすことがない。
また、中央整流ボックス１５は、従来技術で必要とした植毛テープのような保水性を持った部材を抹消できるといった部品点数の削減を可能とし、リサイクル等の解体処理時に植毛テープと整流機構とを分別する作業の手間を省く事が可能である。
【００３４】
なお、上記実施の形態１から３はこれらを組み合わせて実施することが可能であり、例えは実施の形態１から３全てを備えた空気調和機とすることもできる。
【００３５】
【発明の効果】
以上の説明から理解されるが如く、この発明によれば、調和空気を一定の流れ方向へ向けて整流して供給するよう内側に風路が形成された整流機構を、調和空気が吹出口に至る吹出風路内にあって、最外の左右風向調整ベーンと吹出風路の最外郭となる壁面との間に備えたので、左右風向調整ベーンが左右どちらか一方の方向を向いた場合でも、この整流機構内を左右風向調整ベーンに影響されない一定の風量の調和空気が流れ、この流れが吹出風路の壁面に沿って流れるよう確保されるため、吹出風路における吹出口側からの室内空気の流入やそれによる乱流の発生を防止でき、そのため結露が発生しない。
【００３６】
また、調和空気を一定の流れ方向へ向けて整流して供給するよう内側に風路が形成された整流機構を、調和空気が吹出口に至る吹出風路内にあって、吹出風路背面壁に備えたので、上下風向調整ベーンが上を向いた場合でも、この整流機構内を上下風向調整ベーンの向きに影響されない一定の風量の調和空気が流れ、この流れが吹出風路の背壁面に沿って流れるよう確保されるため、吹出風路における吹出口側からの室内空気の流入やそれによる乱流の発生を防止でき、そのため結露が発生しない。
【００３７】
また、調和空気を一定の流れ方向へ向けて整流して供給するよう内側に調和空気が吹出口に至る吹出風路内の調和空気の流れ方向に貫通した風路が形成された整流機構を、吹出風路内にあって、吹出ノズルの中央に備えたので、左右風向調整ベーンが吹出ノズルの中央を境に左側が左方向に、右側が右方向に向いた場合でも、この整流機構内を左右風向調整ベーンに影響されない一定の風量の調和空気が流れるため、、吹出風路における吹出口側からの室内空気の流入やそれによる乱流の発生を防止でき、そのため結露が発生しない。
【００３８】
また、前記整流機構に風量調整部材を設けたので、整流機構によって整流される風量を適度に調節することができる効果が得られる。
【００３９】
また、前記整流機構を吹出風の主流に対して平行に位置させたので、整流機構が新たな風路抵抗となったり、乱流発生の原因となってひいては結露を発生させたりすることなく円滑な整流ができる効果が得られる。
【００４０】
また、前記整流機構を左右風向調整ベーンの取り付け構造体であるガイドベーンベースに設けたので、整流機構のための新たな結露防止構造を付加することなく整流できる効果が得られる。
【００４１】
また、前記整流機構を吹出風を生成する送風機のユニットボックスに設けたので、吹出風がユニットボックスから剥離することで起きる乱流の発生や結露を防止でき、整流機構のための新たな結露防止構造を付加することなく整流できる効果が得られる。
【００４２】
また、前記整流機構を吹出ノズルの中央支持部に設けたので、風向がそれぞれ異なる方向に向けられた場合にその境界で起きる乱流の発生を防止できる効果が得られる。
【図面の簡単な説明】
【図１】  この発明の実施の形態１における空気調和機の整流機構を示す断面図である。
【図２】  この発明の実施の形態１における空気調和機の整流機構を示す拡大正面図である。
【図３】  この発明の実施の形態１における空気調和機の整流機構を示す拡大斜視図である。
【図４】  この発明の実施の形態１における空気調和機の整流機構に風量調整部材を取り付けた拡大斜視図である。
【図５】  この発明の実施の形態２における空気調和機の整流機構を示す断面図である。
【図６】  この発明の実施の形態２における空気調和機の整流機構を示したボックス斜視図である。
【図７】  この発明の実施の形態３における空気調和機の整流機構を示す断面図である。
【図８】  この発明の実施の形態３における空気調和機の整流機構を示す正面図及び部品図である。
【図９】  従来の基本的な空気調和機を示す断面図である。
【図１０】  従来における空気調和機の吹出口への結露防止機構（ジャンプ台仕様）を示す断面図である。
【図１１】  従来における空気調和機の吹出口への結露防止機構（ジャマ板台仕様）を示す断面図である。
【符号の説明】
１  ジャンプ台、  ２  ジャマ板、  ３  ユニットボックス、  ４  上下風向調整ベーン、  ５  ジャンプ台端面、  ６  ジャマ板端面、  ７  ガイドベーンベース、  ８  ノズル上枠構成部材、  ９  取り付け部、  １０  整流ボックス、１１  取り付け部、  １２  ジャンプ台ボックス、  １３  取り付け部、  １４  ノズル中央支持部、  １５  中央整流ボックス、  １６  取り付け部、  １７  吹出風、  １８吹出風、  １９  吹出口、  ２０  ユニットボックスの下側壁部分、  ２１  左右風向調整ベーン、  ２２  クロスフローファン、  ２３  熱交換器、  ２４  連結部材、  ２５  植毛テープ、  ２６、２７、２８  風量調整部材。
【図１】
0003903626.tif 000002
【図２】
0003903626.tif 000003
【図３】
0003903626.tif 000004
【図４】
0003903626.tif 000005
【図５】
0003903626.tif 000006
【図６】
0003903626.tif 000007
【図７】
0003903626.tif 000008
【図８】
0003903626.tif 000009
【図９】
0003903626.tif 000010
【図１０】
0003903626.tif 000011
【図１１】
0003903626.tif 000012